(57)【要約】【課題】印字媒体が幅の異なる記名板の場合でも、より効率的に搬送を安定化させる。【解決手段】印字装置で印刷される記名板Ｐの搬送経路に設けられる記名板用ガイド部材１７０であって、印字装置本体に支持され、記名板の一方の側部Ｐ１が案内される案内路１７１ａを有する支持部１７１と、支持部に対して移動可能に設けられ、記名板の他方の側部Ｐ２を押圧して当該記名板の一方の側部Ｐ１を案内路に摺動させながら記名板の他方の側部をガイドする押圧ガイド部１７２と、支持部と押圧ガイド部との距離を調整する距離調整機構１７３と、を備えることを特徴とする。【選択図】図２
2018108681.tif 000002
【特許請求の範囲】
【請求項１】
印字装置で印刷される記名板の搬送経路に設けられる記名板用ガイド部材であって、
印字装置本体に支持され、前記記名板の一方の側部が案内される案内路を有する支持部と、
前記支持部に対して移動可能に設けられ、前記記名板の他方の側部を押圧して該記名板の前記一方の側部を前記案内路に摺動させながら前記記名板の他方の側部をガイドする押圧ガイド部と、
前記支持部と前記押圧ガイド部との距離を調整する距離調整機構と、を備えることを特徴とする記名板用ガイド部材。
【請求項２】
前記押圧ガイド部は、回動軸を介して前記支持部に取り付けられており、該押圧ガイド部の一方の端部側が前記記名板の前記他方の側部を押圧し、該押圧ガイド部の前記回動軸を介した他方の側部側と前記支持部との間に前記距離調整機構が設けられることを特徴とする請求項１に記載の記名板用ガイド部材。
【請求項３】
前記距離調整機構は、前記他方の側部側を前記支持部に対して離隔する方向に付勢する付勢部材であることを特徴とする請求項２に記載の記名板用ガイド部材。
【請求項４】
前記支持部は、前記印字装置本体と一体に設けられていることを特徴とする請求項１乃至３の何れか１項に記載の記名板用ガイド部材。
【請求項５】
前記支持部は、前記印字装置本体と別体に設けられていることを特徴とする請求項１乃至３の何れか１項に記載の記名板用ガイド部材。
【請求項６】
前記支持部は、前記印字装置本体と別体のケーシングであり、前記押圧ガイド部は、前記ケーシングに回動軸を介して支持されることを特徴とする請求項５に記載の記名板用ガイド部材。
【請求項７】
記名板に印刷を行う印字手段と、
前記記名板を所定の位置に誘導する請求項１乃至６の何れか１項に記載の記名板用ガイド部材を備えることを特徴とする印字装置。
【発明の詳細な説明】
【技術分野】
【０００１】
本発明は、印字装置の搬送経路におけるプラテンローラの上流側に設けられ、印字媒体となる記名板を所定の位置に誘導する記名板用ガイド部材、及び当該記名板用ガイド部材を備える印字装置に関する。
【背景技術】
【０００２】
従来より、印字装置としてサーマルヘッドが用いられる熱転写型のプリンタでは、インクリボンカセットが着脱可能に装着されるプリンタが提案されている。インクリボンカセットが装着されるプリンタは、印字媒体を搬送するプラテンローラと、印刷を行うサーマルヘッドが対向配置される構成となっており、印字媒体の装着時は、プラテンローラ又はサーマルヘッドを退避させて、プラテンローラとサーマルヘッドの間に印字媒体を装着するような構成となっている。
【０００３】
このような熱転写型の印字装置のうち、チューブ、テープ、又は記名板等の長尺状の印字媒体を選択的にセットして印刷を行う印字装置では、印字対象となる印字媒体の材質や幅が異なるので、それぞれの印字媒体を精度よく印字するために、プラテンローラとサーマルヘッドとを有する印字機構に誘導する必要がある。特許文献１には、異なる印字媒体ごとに対応可能とするために、印字機構に誘導するための複数種類のガイドユニットを印字機構の上流側近傍に着脱自在とした印字装置について開示されている。
【先行技術文献】
【特許文献】
【０００４】
【特許文献１】特開２００３−１０３８４４号公報
【発明の概要】
【発明が解決しようとする課題】
【０００５】
しかしながら、異なる印字媒体ごとにガイドユニットを交換して装着する場合では、印字機構に誘導する印字媒体の幅が限定されるので、印字対象となる印字媒体の幅が異なる場合に、その都度、ガイドユニットを交換する必要があり、ユーザに手間を要していた。また、印字装置本体側に異なる印字媒体ごとに誘導可能とする可変式ガイドを設置することも可能であるが、異なる印字媒体を印字する度に可変ガイドの幅を調整する作業が必要となり、ユーザに手間を要した上で、可変式ガイドを使用しないユーザにとってコスト高となっていた。
【０００６】
特に、印字媒体が記名板の場合には、印字機構にガイドするガイド手段を１箇所で押さえる構成にすると、記名板の搬送位置が安定せずに、安定した搬送がされずに印字位置がずれるという課題があった。すなわち、印字媒体が記名板の場合に、幅が異なる記名板でも、より少ない手間、作業で効率的に記名板の搬送を安定化させることが望まれていた。
【０００７】
本発明は、上記課題に鑑みてなされたものであり、印字媒体が幅の異なる記名板の場合でも、より効率的に搬送を安定化させることの可能な、新規かつ改良された記名板用ガイド部材、及び当該記名板用ガイド部材を備える印字装置を提供することを目的とする。
【課題を解決するための手段】
【０００８】
本発明の一態様は、印字装置で印刷される記名板の搬送経路に設けられる記名板用ガイド部材であって、印字装置本体に支持され、前記記名板の一方の側部が案内される案内路を有する支持部と、前記支持部に対して移動可能に設けられ、前記記名板の他方の側部を押圧して該記名板の前記一方の側部を前記案内路に摺動させながら前記記名板の他方の側部をガイドする押圧ガイド部と、前記支持部と前記押圧ガイド部との距離を調整する距離調整機構と、を備えることを特徴とする。
【０００９】
本発明の一態様によれば、支持部の案内路と押圧ガイド部の先端側との間の距離を調整して記名板が把持されるようになるので、効率的に異なる幅の記名板ごとに対応して記名板の搬送を安定化できるようになる。
【００１０】
このとき、本発明の一態様では、前記押圧ガイド部は、回動軸を介して前記支持部に取り付けられており、該押圧ガイド部の一方の端部側が前記記名板の前記他方の側部を押圧し、該押圧ガイド部の前記回動軸を介した他方の側部側と前記支持部との間に前記距離調整機構が設けられることとしてもよい。
【００１１】
このようにすれば、より簡素な構成で支持部の案内路と押圧ガイド部の先端側との間の距離を調整して記名板が把持されるようになるので、効率的に異なる幅の記名板ごとに対応して記名板の搬送を安定化できるようになる。
【００１２】
また、本発明の一態様では、前記距離調整機構は、前記他方の側部側を前記支持部に対して離隔する方向に付勢する付勢部材であることとしてもよい。
【００１３】
このようにすれば、押圧ガイド部の先端で記名板の他方の側部が押圧されるので、支持部の案内路と押圧ガイド部の先端側との間に記名板が把持されて、効率的に異なる幅の記名板ごとに対応して記名板の搬送を安定化できるようになる。
【００１４】
また、本発明の一態様では、前記支持部は、前記印字装置本体と一体に設けられていることとしてもよい。
【００１５】
このようにすれば、支持部が印字装置本体と一体の場合でも、支持部の案内路と押圧ガイド部の先端側との間に記名板が把持されて、効率的に異なる幅の記名板ごとに対応して記名板の搬送を安定化できるようになる。
【００１６】
また、本発明の一態様では、前記支持部は、前記印字装置本体と別体に設けられていることとしてもよい。
【００１７】
このようにすれば、支持部が印字装置本体と別体の場合でも、支持部の案内路と押圧ガイド部の先端側との間に記名板が把持されて、効率的に異なる幅の記名板ごとに対応して記名板の搬送を安定化できるようになる。
【００１８】
また、本発明の一態様では、前記支持部は、前記印字装置本体と別体のケーシングであり、前記押圧ガイド部は、前記ケーシングに回動軸を介して支持されることとしてもよい。
【００１９】
このようにすれば、記名板用ガイド部材が記名板を所望の位置に誘導するための誘導用アタッチメントとして適用できるようになる。
【００２０】
また、本発明の他の態様は、印字装置であって、記名板に印刷を行う印字手段と、前記記名板を所定の位置に誘導する前述した何れかの記名板用ガイド部材を備えることを特徴とする。
【００２１】
本発明の他の態様によれば、記名板用ガイド部材によって異なる幅の記名板ごとに対応して記名板の搬送を安定化させられるので、それぞれの幅の記名板を精度よく印字できるようになる。
【発明の効果】
【００２２】
以上説明したように本発明によれば、距離調整機構で支持部の案内路と押圧ガイド部の先端側との間の距離を調整して記名板が把持されるようになるので、効率的に異なる幅の記名板ごとに対応して記名板の搬送を安定化できるようになる。
【図面の簡単な説明】
【００２３】
【図１】本発明の一実施形態に係る記名板用ガイド部材が設けられる印字装置の一例を示す斜視図である。
【図２】（Ａ）及び（Ｂ）は、本発明の一実施形態に係る記名板用ガイド部材の構成の一例を示す斜視図である。
【図３】（Ａ）は、図２（Ａ）のＡ−Ａ線断面図であり、（Ｂ）は、図２（Ａ）のＢ−Ｂ線断面図である。
【図４】（Ａ）及び（Ｂ）は、本発明の一実施形態に係る記名板用ガイド部材の構成及び動作の一例を示す断面図である。
【図５】本発明の一実施形態に係る記名板用ガイド部材に備わる押圧ガイド部の先端部の変形例の一例を示す正面図である。
【図６】（Ａ）乃至（Ｃ）は、本発明の一実施形態に係る記名板用ガイド部材の変形例の一例を示す断面図である。
【図７】（Ａ）及び（Ｂ）は、本発明の一実施形態に係る記名板用ガイド部材の他の変形例の構成及び動作の一例を示す断面図である。
【図８】（Ａ）及び（Ｂ）は、本発明の一実施形態に係る記名板用ガイド部材の更に他の変形例の構成及び動作の一例を示す断面図である。
【図９】（Ａ）及び（Ｂ）は、本発明の他の実施形態に係る記名板用ガイド部材の構成及び動作の一例を示す断面図である。
【図１０】（Ａ）及び（Ｂ）は、本発明の更に他の実施形態に係る記名板用ガイド部材の構成及び動作の一例を示す断面図である。
【発明を実施するための形態】
【００２４】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２５】
まず、本発明の一実施形態に係る記名板用ガイド部材が設けられる印字装置の構成について、図面を使用しながら説明する。図１は、本発明の一実施形態に係る記名板用ガイド部材が設けられる印字装置の一例を示す斜視図である。
【００２６】
本実施形態の印字装置１００は、図１に示すように、表示部１０２と操作部１０４を備えた筐体１０６の内部に、選択的にセットされるチューブ又はテープ、記名板等の長尺状の印字媒体に印刷を行う機構を備える。表示部１０２は、液晶等の表示画面からなり、操作部１０４で入力した文字等を表示する機能を有する。操作部１０４は、複数の操作ボタンを有するキーボードから構成され、印字媒体への文字や数字、符号の入力等の印字装置１００の各種操作をする機能を有する。筐体１０６には、インクリボンカセット１１０や印字媒体を取り付ける際に開閉可能な蓋部１０８が設けられている。
【００２７】
印字装置１００は、印字媒体に所定の印刷処理を行う機構として、図１に示すように、印字媒体となるチューブとテープカセットが選択的にセットされるカセットホルダ部１２０と、インクリボンカセット１１０がセットされるリボンホルダ部１２１を備える。カセットホルダ部１２０とリボンホルダ部１２１は、樹脂等からなる一体成形品であり、例えば、金属板で構成されるロアプレート１２４に取り付けられる。また、カセットホルダ部１２０は、印字媒体が所定内径以下のチューブや記名板の場合には、当該印字媒体を所望の位置に誘導するための誘導用アタッチメントが設置可能に構成されている。
【００２８】
印字装置１００は、カセットホルダ部１２０にセットされたチューブ、テープカセットから繰り出されたテープ、又は記名板等の長尺状の印字媒体を搬送するプラテンローラ１２２と、プラテンローラ１２２で搬送されるチューブ、テープ、又は記名板等の印字媒体に印字を行うサーマルヘッド１２３を備える。
【００２９】
プラテンローラ１２２は、搬送手段の一例で、不図示のモータの駆動力が伝達されて回転する。ここで、プラテンローラ１２２を駆動するモータの駆動力は、インクリボンカセット１１０のインクリボンを巻き取る不図示の巻取側リボンコアを駆動する巻取り軸にも伝達され、プラテンローラ１２２の回転とインクリボンの送りが同期して行われる。
【００３０】
サーマルヘッド１２３は、印字手段の一例であり、発熱体が設けられる部位がプラテンローラ１２２の円周面に対向して配置される。印字装置１００は、サーマルヘッド１２３のスライド動作又は回転動作等により、サーマルヘッド１２３がプラテンローラ１２２に対して近づく方向と離れる方向に移動可能な構成となっている。本実施形態では、印字装置１００は、枠部１２３ａに支持されるサーマルヘッド１２３が軸部１２３ｂを支点とした回転動作によって、プラテンローラ１２２の円周面に対して近づく方向と離れる方向に移動可能に構成されている。
【００３１】
本実施形態では、サーマルヘッド１２３は、軸部１２３ｂを支点とした回転動作でプラテンローラ１２２の円周面に対して近づく方向に移動する。これにより、サーマルヘッド１２３とプラテンローラ１２２との間に、インクリボンとチューブ、テープ、又は記名板等の印字媒体が挟持されて、当該チューブ、テープ、又は記名板等の印字媒体に印刷が可能な状態となる。また、サーマルヘッド１２３は、軸部１２３ｂを支点とした回転動作によって、プラテンローラ１２２の円周面に対して離れる方向に移動して退避し、チューブ、テープ、又は記名板等の印字媒体のセットが可能な状態となる。
【００３２】
また、本実施形態の印字装置１００は、サーマルヘッド１２３をプラテンローラ１２２に押圧させると共に、サーマルヘッド１２３をプラテンローラ１２２から退避させるヘッド移動機構１３０を備える。
【００３３】
さらに、本実施形態の印字装置１００は、サーマルヘッド１２３の上流側には、案内部１２８から案内された印字媒体となるチューブや記名板の搬送距離を検出する送り量検出ローラ１２５と、案内部１２８から導入された印字媒体を押さえるために、当該送り量検出ローラ１２５に対向する位置に設けられる押さえローラ１２６が設けられている。送り量検出ローラ１２５と押さえローラ１２６は、不図示の押さえローラ移動機構によって、押さえローラ１２６が送り量検出ローラ１２５から退避して、押さえローラ１２６と送り量検出ローラ１２５との間にチューブセット用の空間が形成される。
【００３４】
また、送り量検出ローラ１２５及び押さえローラ１２６の上流側には、案内部１２８から案内された印字媒体がチューブの場合に当該チューブへの印字が擦れることを防止するために、チューブを暖めるチューブウォーマ１２９が設けられている。一方、サーマルヘッド１２３の下流側には、印刷媒体をハーフカットするための不図示のハーフカット機構が設けられている。
【００３５】
次に、本発明の一実施形態に係る記名板用ガイド部材の構成について、図面を使用しながら説明する。図２（Ａ）及び図２（Ｂ）は、本発明の一実施形態に係る記名板用ガイド部材の構成の一例を示す斜視図であり、図３（Ａ）は、図２（Ａ）のＡ−Ａ線断面図であり、図３（Ｂ）は、図２（Ａ）のＢ−Ｂ線断面図である。なお、図２（Ｂ）は、記名板用ガイド部材の蓋部を外した状態を示す。
【００３６】
本発明の一実施形態に係る記名板用ガイド部材１７０は、印字装置１００（図１参照）の搬送経路におけるプラテンローラ１２３（図１参照）の上流側に設けられ、印字媒体となる記名板Ｐを所定の位置に誘導する機能を有する。本実施形態では、記名板用ガイド部材１７０は、プラテンローラ１２３の上流側に配置されるカセットホルダ部１２０内に取り付け可能となるように構成されるアタッチメント方式の部材となっている。
【００３７】
本実施形態の記名板用ガイド部材１７０は、図２（Ｂ）に示すように、印字装置本体１０６（図１参照）に支持され、記名板Ｐの一方の側部Ｐ１が案内される案内路１７１ａを有する支持部となるケーシング１７１内に、ケーシング１７１に対して回動軸１７４（図３（Ａ）参照）を介して回転移動可能となっている押圧ガイド部１７２と、ケーシング１７１と押圧ガイド部１７２との距離を調整する距離調整機構となる付勢部材の押圧バネ１７３が設けられている。ケーシング１７１は、通常時には、図２（Ａ）に示すように、蓋部１７１ｃで覆われている。また、ケーシング１７１には、図２（Ｂ）及び図３（Ｂ）に示すように、送り量検出ローラ１２５を収容する収容部１７１ｂが設けられている。なお、本実施形態では、ケーシング１７１は、蓋部１７１ｃで覆われているが、蓋部１７１ｃを設けずに、直接、押圧ガイド部１７２を押圧できるようにしてもよい。
【００３８】
本実施形態では、押圧ガイド部１７２は、図３（Ａ）に示すように、回動軸１７４を介して支持部となるケーシング１７１に取り付けられている。そして、押圧ガイド部１７２の一方の端部側が記名板Ｐの他方の側部Ｐ２を押圧し、押圧ガイド部１７２の回動軸１７４を介した他方の側部側に有する係止部１７２ｂと、ケーシング１７１内に設けられた凸部１７１ｂとの間に押圧バネ１７３が取り付けられている。
【００３９】
押圧バネ１７３は、安定した記名板Ｐの搬送をするために、搬送させる記名板Ｐをぶれないように安定化させられる大きさ以上、かつ、ポリ塩化ビニル（ＰＶＣ：Poly Vinyl Chloride）等の硬質な樹脂から構成され、厚さが０．３~０．５ｍｍ程度の記名板Ｐを潰さない程度の大きさ以下の付勢力を付与可能なバネ定数Ｋを有していることが好ましい。
【００４０】
このような押圧バネ１７３を押圧ガイド部１７２の係止部１７２ｂとケーシング１７１内に設けられた凸部１７１ｂとの間に取り付けることによって、ケーシング１７１に対して押圧ガイド部１７２の係止部１７２ｂを離隔する方向に付勢する。このため、押圧ガイド部１７２の先端部１７２ａに押圧力が付与されて、記名板Ｐの他方の側部Ｐ２を押圧して、記名板Ｐが押圧ガイド部１７２の先端部１７２ａとケーシング１７１の案内路１７１ａとの間に把持されるようになる。
【００４１】
このように、押圧ガイド部１７２の先端部１７２ａで記名板Ｐの他方の側部Ｐ２が押圧されると、ケーシング１７１の案内路１７１ａと押圧ガイド部１７２の先端部１７２ａとの間に記名板Ｐが所定の大きさの押圧力によって把持されるようになる。このため、１つの記名板用ガイド部材１７０を印字装置１００のカセットホルダ部１２０に取り付けることによって、異なる幅の記名板Ｐごとに対応して、記名板Ｐの搬送を安定化できるようになる。
【００４２】
また、本実施形態では、図３（Ｂ）に示すように、押圧ガイド部１７２の先端部１７２ａは、収容部１７１ｂに収容された送り量検出ローラ１２５を迂回するように、第１の先端部１７２ａ１と第２の先端部１７２ａ２の２つに分かれた構成となっている。このように、押圧ガイド部１７２の先端部１７２ａを２つに分かれた構成とすることによって、記名板Ｐの搬送を安定化させることができる。
【００４３】
さらに、本実施形態では、図３（Ｂ）に示すように、押圧ガイド部１７２の先端部１７２ａを構成する第１の先端部１７２ａ１の両端部１７２ａ１´と第２の先端部１７２ａ２の入側端部１７２ａ２´は、水平方向に対して上側に開いた構成となっている。このように、押圧ガイド部１７２の先端部１７２ａ１、１７２ａ２の端部１７２ａ１´、１７２ａ２´を水平方向に対して上側に開いた構成とすることによって、記名板Ｐの幅が大きいものを搬送する際に、案内路１７１ａに導入し易くなるので、より効率的に幅の異なる記名板Ｐの搬送を安定化させることができる。
【００４４】
次に、本発明の一実施形態に係る記名板用ガイド部材の動作について、図面を使用しながら説明する。図４（Ａ）及び図４（Ｂ）は、本発明の一実施形態に係る記名板用ガイド部材の構成及び動作の一例を示す断面図である。
【００４５】
本発明の一実施形態に係る記名板用ガイド部材１７０は、前述した構成とすることによって、１つの部材で例えば８〜１０ｍｍの大きさの範囲の異なる幅の記名板Ｐを安定した状態で搬送できることを特徴とする。記名板Ｐの幅が１０ｍｍの場合では、図４（Ａ）に示すように、ケーシング１７１の案内路１７１ａと押圧ガイド部１７２の先端部１７２ａとの間に、記名板Ｐが押圧バネ１７３によって付与される所定の大きさの押圧力によって把持される。
【００４６】
一方、記名板Ｐの幅が８ｍｍと狭くなった場合では、図４（Ｂ）に示すように、押圧バネ１７３によって付与される押圧力によって、押圧ガイド部１７２の先端部１７２ａが下がって、ケーシング１７１の案内路１７１ａと押圧ガイド部１７２の先端部１７２ａとの間に記名板Ｐが把持されるようになる。
【００４７】
このように、本実施形態では、所定の大きさ範囲の異なる幅の記名板Ｐを１つの記名板用ガイド部材１７０によって、所定の大きさ以上の押圧力で把持して安定した状態で搬送
できるので、印字対象となる印字媒体の幅が異なる場合に、その都度、ガイド部材を交換する手間を省けるようになる。
【００４８】
また、本実施形態では、１つの記名板用ガイド部材１７０を取り付けることによって、異なる幅の記名板Ｐを安定的に搬送できるようになるので、印字装置本体側に異なる印字媒体ごとに誘導可能とする可変式ガイドを設置する必要もなくなる。このため、異なる印字媒体を印字する度に可変式ガイドの幅を調整する作業も必要なくなり、ユーザの手間を軽減した上で、可変式ガイドを取り付けるコストも低減できる。
【００４９】
さらに、印字媒体が記名板Ｐの場合には、より安定化した記名板の搬送が可能となるので、記名板Ｐへの印字位置がずれるリスクが低減され、幅が異なる記名板Ｐでも、より少ない手間、作業で効率的に記名板の搬送を安定化させることができるので、極めて大きな工業的価値を有する。
【００５０】
なお、本実施形態では、押圧ガイド部１７２の先端部１７２ａは、送り量検出ローラ１２５を迂回するように、第１の先端部１７２ａ１と第２の先端部１７２ａ２の２つに分かれた構成となっているが、かかる構成に限定されない。例えば、図５に示すように、送り量検出ローラ１２５の下流側近傍に所定幅の大きさ以上の押圧ガイド部１７２の先端部１７２ａ３を設ける設計上のスペースがある場合には、押圧ガイド部１７２の先端部１７２ａ３の幅を大きくして、１箇所で記名板Ｐを押さえるようにしてもよい。このように、押圧ガイド部１７２の先端部１７２ａ３の幅を所定幅以上の大きさにすることによって、記名板Ｐを１箇所で押さえても、記名板Ｐの搬送を安定化させることができる。
【００５１】
また、本発明の一実施形態に係る記名板用ガイド部材に備わる距離調整機構の態様も、付勢手段となる押圧バネに限定されない。以下、本発明の一実施形態に係る記名板用ガイド部材に備わる距離調整機構の変形例について、図面を使用しながら説明する。図６（Ａ）乃至図６（Ｃ）は、本発明の一実施形態に係る記名板用ガイド部材の変形例の一例を示す断面図であり、図７（Ａ）及び図７（Ｂ）は、本発明の一実施形態に係る記名板用ガイド部材の他の変形例の構成及び動作の一例を示す断面図であり、図８（Ａ）及び図８（Ｂ）は、本発明の一実施形態に係る記名板用ガイド部材の更に他の変形例の構成及び動作の一例を示す断面図である。
【００５２】
例えば、図６（Ａ）に示すように、記名板用ガイド部材２７０の支持部２７１と押圧ガイド部２７２の距離を調整する距離調整機構２７３をねじ２７３ａとねじ穴２７３ｃで構成して上下方向にスライドさせて、記名板Ｐの幅に応じて双方の距離を調整するようにしてもよい。このとき、バネ２７３ｂを介して一方向に付勢することが好ましい。
【００５３】
また、図６（Ｂ）に示すように、記名板用ガイド部材３７０の支持部３７１と押圧ガイド部３７２の距離を調整する距離調整機構３７３をねじ３７３ａとねじ穴３７３ｃで構成して上下方向にスライドさせて、記名板Ｐの幅に応じて双方の距離を調整してもよい。その際に、ねじ３７３ａを挿通するようにワッシャー３７３ｂを設けて、ねじ３７３ａの押し込み量を調整可能としてもよい。
【００５４】
さらに、図６（Ｃ）に示すように、記名板用ガイド部材４７０の支持部４７１と押圧ガイド部４７２の距離を調整する距離調整機構４７３が回動軸４７４を中心とした回動運動による回動方式としてもよい。本変形例に係る回動方式では、ねじ４７３ａとねじ穴４７３ｃで押圧ガイド部４７２の基端側の高さを調整して、構成して上下方向にスライドさせて、記名板Ｐの幅に応じて双方の距離を調整する。その際に、ワッシャー３７３ｂを設けて、バネ２７３ｂを介して一方向に付勢するようにしてもよい。
【００５５】
また、図７（Ａ）及び図７（Ｂ）に示すように、記名板用ガイド部材５７０の支持部５７１と押圧ガイド部５７２の距離を調整する距離調整機構がカム５７３を用いた調整としてもよい。すなわち、記名板Ｐの幅に応じて支持部５７１と押圧ガイド部５７２の距離を調整するために、図７（Ａ）に示すように、略楕円形のカム５７３を回転移動させながら、カム５７３の最小幅の長さから、カム５７３の全長の最長部となる両端部５７３ａ、５７３ｂの長さの幅までの記名板Ｐを支持部５７１と押圧ガイド部５７２で把持しながら、安定させて搬送できるようになる。
【００５６】
さらに、図８（Ａ）及び図８（Ｂ）に示すように、記名板用ガイド部材６７０の支持部６７１と押圧ガイド部６７２の距離を調整する距離調整機構６７０がスライド方式を用いた調整としてもよい。すなわち、距離調整機構６７０をスライダ６７３ｂの上面側と当接する複数段６７３ａ１、６７３ａ２、６７３ａ３、６７３ａ４を有する上側ガイド６７３ａと、スライダ６７３ｂの下面側に有する凸部６７３ｂ１と係止可能な複数の凹部６７３ｃ１を有する下側ガイド６７３ｃとの間をスライダ６７３ｂが移動することによって、記名板Ｐの幅に応じて支持部６７１と押圧ガイド部６７２の距離を多段階的に調整することによって、記名板Ｐの幅に応じて支持部６７１と押圧ガイド部６７２で把持しながら、安定させて搬送できるようになる。
【００５７】
また、本発明の一実施形態に係る記名板用ガイド部材１７０と前述したその変形例に関しては、支持部１７１が印字装置本体と別体のケーシングであり、押圧ガイド部１７２がケーシングに回動軸１７４を介して支持されるアタッチメント方式の部材となっているが、本発明は、アタッチメント方式以外にも適用可能である。
【００５８】
例えば、図９（Ａ）及び図９（Ｂ）に示すように、記名板用ガイド部材７７０の支持部７７１と押圧ガイド部７７２の距離の調整が回動軸７７４を中心とした回動動作で行われ、押圧ガイド部７７２の押圧手段を印字装置本体カバー７０８の内側に取り付けたバネ７７３としてもよい。
【００５９】
このように、記名板用ガイド部材７７０を構成することによって、図９（Ｂ）に示すように、印字装置本体カバー７０８が開放しているときは、バネ７７３が押圧ガイド部７７２から離れるので、記名板Ｐが支持部７７１と押圧ガイド部７７２との間での把持状態から解放される。これに対して、図９（Ａ）に示すように、印字装置本体カバー７０８を閉じると、バネ７７３が押圧ガイド部７７２に当接して、記名板Ｐの幅の大きさに応じて押圧ガイド部７７２が押圧されるので、記名板Ｐが支持部７７１と押圧ガイド部７７２との間で安定した把持状態となる。
【００６０】
また、図１０（Ａ）及び図１０（Ｂ）に示すように、記名板用ガイド部材８７０の支持部８７１と押圧ガイド部８７２が別部材として構成されてもよい。すなわち、支持部８７１が印字装置本体と一体に設けられ、押圧ガイド部８７２が印字装置本体カバー８０８と回動軸８７４を介して連結された構成としてもよい。
【００６１】
この場合では、支持部８７１と押圧ガイド部８７２との距離の調整が回動軸８７４を中心とした回動動作で行われ、押圧ガイド部８７２の押圧手段を印字装置本体カバー８０８の内側に取り付けたバネ８７３としてもよい。このように、支持部８７１が印字装置本体と一体の場合でも、支持部８７１の案内路と押圧ガイド部８７２の先端側との間に記名板Ｐが把持されて、効率的に異なる幅の記名板Ｐごとに対応して記名板Ｐの搬送を安定化できるようになる。
【００６２】
なお、上記のように本発明の各実施形態について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００６３】
例えば、明細書又は図面において、少なくとも一度、より広義又は同義な異なる用語と共に記載された用語は、明細書又は図面のいかなる箇所においても、その異なる用語に置き換えることができる。また、記名板用ガイド部材、及び印字装置の構成、動作も本発明の各実施形態で説明したものに限定されず、種々の変形実施が可能である。
【符号の説明】
【００６４】
１００  印字装置、１０２  表示部、１０４  操作部、１０６  筐体、１０８、２０８  蓋部、１１０  インクリボンカセット、１２０  カセットホルダ部、１２１  リボンホルダ部、１２２  プラテンローラ、１２３  サーマルヘッド、１２４  ロアプレート、１２５  送り量検出ローラ、１２６  押さえローラ、１２８  案内部、１２９  チューブウォーマ、１３０  ヘッド移動機構、１３２  ヘッド移動レバー、１７０、２７０、３７０、４７０、５７０、６７０、７７０、８７０  誘導用アタッチメント（記名板用ガイド部材）、１７１、２７１、３７１、４７１、５７１、６７１、７７１、８７１  支持部、１７２、２７２、３７２、４７２、５７２、６７２、７７２、８７２  押圧ガイド部、１７３、２７３、３７３、４７３、５７３、６７３、７７３、８７３  距離調整機構、１７４、２７４、３７４、４７４、５７４、６７４、７７４、８７４  回動軸
【図１】
2018108681.tif 000003
【図２】
2018108681.tif 000004
【図３】
2018108681.tif 000005
【図４】
2018108681.tif 000006
【図５】
2018108681.tif 000007
【図６】
2018108681.tif 000008
【図７】
2018108681.tif 000009
【図８】
2018108681.tif 000010
【図９】
2018108681.tif 000011
【図１０】
2018108681.tif 000012